(57)【要約】【課題】ペットの排泄行為に伴う飼育者の排泄物処理作業の負担を軽減することができ、且つ該排泄物処理作業で出るゴミの量が少なく、経済的で環境に対する負荷が少ないペット用吸収性物品を提供すること。【解決手段】本発明のペット用吸収性物品１Ａは、表面シート２及びその下方に配された吸収体４を含んで構成される吸収性本体５と、表面シート２の上方に配され、吸収性本体５と分離可能に一体化された液透過性の排泄物処理用シート６とを具備する。【選択図】図３
2014113072.tif 000002
【特許請求の範囲】
【請求項１】
表面シート及び該表面シートの一方の面に配された吸収体を含んで構成される吸収性本体と、前記表面シートの前記一方の面とは反対側の面に配され、前記吸収性本体と分離可能に一体化された液透過性の排泄物処理用シートとを具備するペット用吸収性物品。
【請求項２】
前記ペット用吸収性物品の最表面を形成する前記排泄物処理用シートは、該排泄物処理用シートの周縁部に位置し且つ該排泄物処理用シートの平面視における中心を挟んで相対向する２つの接着部にて、前記吸収性本体と分離可能に接着されて一体化されており、その２つの接着部を結ぶ線分を二分する仮想直線と該排泄物処理用シートの周縁との２つの交点それぞれを起点として、該排泄物処理用シートを該吸収性本体から引き剥がすのに要する力が８００ｇｆ／２５ｍｍ以下である請求項１記載のペット用吸収性物品。
【請求項３】
２つの前記接着部を結ぶ線分と、該線分を二分する前記仮想直線とのなす角度は、９０°±１５°の範囲にある請求項２記載のペット用吸収性物品。
【請求項４】
前記排泄物処理用シートは平面視において長方形形状を有し、２つの前記起点は、それぞれ、該排泄物処理用シートの角部に相当する請求項２又は３記載のペット用吸収性物品。
【請求項５】
前記排泄物処理用シートは、前記起点又はその近傍に位置する２つの仮留め部にて、前記吸収性本体に仮留めされている請求項２〜５の何れか一項に記載のペット用吸収性物品。
【請求項６】
前記排泄物処理用シートを複数枚具備し、複数枚の該排泄物処理用シートは、前記吸収性本体から相対的に近いものほど、平面視の大きさが小さい請求項１〜５の何れか一項に記載のペット用吸収性物品。
【発明の詳細な説明】
【技術分野】
【０００１】
本発明は、犬や猫等のペット（小動物）用の排泄物処理材として有用な吸収性物品に関する。
【背景技術】
【０００２】
ペット用吸収性物品として、液透過性の表面シート、液不透過性の裏面シート及び両シート間に配された吸収体を具備するペット用トイレシートが知られている。また、使用後のペット用トイレシートの交換作業等、ペットの排泄行為に伴う飼育者の排泄物処理作業の負担を軽減する目的で、斯かる構成のペット用トイレシートを複数枚積層しておき、それら複数枚のうちの上側の使用済みのトイレシートのみを剥ぎ取ることで、下側の未使用のトイレシートを露出可能にしたものも知られている（例えば特許文献１及び２参照）。
【先行技術文献】
【特許文献】
【０００３】
【特許文献１】実用新案登録第３１１３８７８号公報
【特許文献２】特開２０１０−１１９３１３号公報
【発明の概要】
【発明が解決しようとする課題】
【０００４】
特許文献１及び２に記載のペット用トイレシートは、吸収体及び裏面シートを順次積層してなる３層構造のトイレシートを複数枚積層したものであり、１回の交換作業で剥ぎ取られ廃棄される部材がこの３層構造のトイレシートであるため、交換作業の際に出るゴミの量が多く、不経済で環境に対する負荷が少なくないものであった。
【０００５】
従って、本発明は、ペットの排泄行為に伴う飼育者の排泄物処理作業の負担を軽減することができ、且つ該排泄物処理作業で出るゴミの量が少なく、経済的で環境に対する負荷が少ないペット用吸収性物品に関する。
【課題を解決するための手段】
【０００６】
本発明は、表面シート及び該表面シートの一方の面に配された吸収体を含んで構成される吸収性本体と、前記表面シートの前記一方の面とは反対側の面に配され、前記吸収性本体と分離可能に一体化された液透過性の排泄物処理用シートとを具備するペット用吸収性物品を提供するものである。
【発明の効果】
【０００７】
本発明によれば、ペットの排泄行為に伴う飼育者の排泄物処理作業の負担を軽減することができ、且つ該排泄物処理作業で出るゴミの量が少なく、経済的で環境に対する負荷が少ないペット用吸収性物品が提供される。
【図面の簡単な説明】
【０００８】
【図１】図１は、本発明のペット用吸収性物品の第１実施形態の模式的な平面図である。
【図２】図２は、図１のＩ−Ｉ線断面を模式的に示す断面図である。
【図３】図３（ａ）及び図３（ｂ）は、それぞれ、図１に示すペット用吸収性物品の使用方法の説明図である。
【図４】図４は、本発明のペット用吸収性物品の第２実施形態の模式的な平面図（図１相当図）である。
【図５】図５は、図１のＩＩ−ＩＩ線断面を模式的に示す断面図（図２相当図）である。
【図６】図６（ａ）及び図６（ｂ）は、それぞれ、図４に示すペット用吸収性物品の使用方法の説明図（図３相当図）である。
【発明を実施するための形態】
【０００９】
以下、本発明のペット用吸収性物品について、その好ましい実施形態に基づき図面を参照して説明する。第１実施形態のペット用吸収性物品１Ａは、図１及び図２に示すように、表面シート２及び該表面シート２の一方の面（ペット用吸収性物品を使用する際の下方側）に配された吸収体４を含んで構成される吸収性本体５と、表面シート２の前記一方の面とは反対側の面、即ち、吸収体４が配された面とは反対側の面（ペット用吸収性物品を使用する際の上方側）に配され、吸収性本体５と分離可能に一体化された液透過性の排泄物処理用シート６とを具備する。ペット用吸収性物品１Ａは、床面等の設置面に敷設されて使用されるもので、その敷設の際には、裏面シート３が設置面と対向し、排泄物処理用シート６は、ペットが排泄する際の足場となる。
【００１０】
更に説明すると、吸収性本体５は、液透過性の表面シート２、液不透過性の裏面シート３及び両シート２，３間に配された吸収体４を具備するシート状物である。表面シート２及び裏面シート３は、それぞれ、吸収体４の周縁から外方に延出し、それらの延出部において接着剤、熱融着等の公知の接合手段により接合されている。吸収体４は、平面視形状が吸収性本体５と同形状（長方形形状）を有しており、その長手方向を吸収性本体５の長手方向に一致させて、表面シート２と裏面シート３との間に介在配置されている。
【００１１】
本発明のペット用吸収性物品の形状、寸法は特に制限されるものではないが、例えば、第１実施形態のペット用吸収性物品１Ａは、図１に示す如き平面視において長方形形状を有しており、その長手方向（図１の上下方向）の長さは１５〜１００ｃｍ、幅方向（該長手方向と直交する方向）の長さは１０〜７０ｃｍである。
【００１２】
排泄物処理用シート６は、１枚の単層構造の液透過性シートからなり、ペット用吸収性物品１Ａの最表面を形成している。即ち、ペット用吸収性物品１Ａを設置面に敷設した場合、ペット用吸収性物品１Ａは設置面からみて裏面シート３、吸収体４、表面シート２、排泄物処理用シート６の順で積層されていることとなる。排泄物処理用シート６は、平面視形状が吸収性本体５と同形状（長方形形状）を有しており、且つ吸収性本体５よりも平面視の大きさ（サイズ）が小さく、図１及び図２に示すように、排泄物処理用シート６の周縁６ｓは、吸収性本体５の周縁５ｓ（表面シート２の周縁又は裏面シート３の周縁）よりも内方に存している。第１実施形態においては、排泄物処理用シート６と吸収性本体５とは、平面視形状が互いに相似の関係にある。
【００１３】
排泄物処理用シート６は、表面シート２を介して、吸収性本体５と分離可能に一体化されている。ここで、「吸収性本体と分離可能に一体化」とは、排泄物処理用シートと吸収性本体とが一体となっている状態から、両者を破壊せずにバラバラに分離できることを意味する。本発明においては、「排泄物処理用シートと吸収性本体との一体化の形態」は特に制限されず、例えば、ｉ）排泄物処理用シートと吸収性本体とが公知の接合手段により接合されている形態の他、ｉｉ）排泄物処理用シートと吸収性本体とがミシン目を介して連接されている形態も本発明に含まれる。前記ｉ）に関し、排泄物処理用シートと吸収性本体との一体化に適用可能な接合手段としては、例えば、ホットメルト接着剤等その他の各種接着剤等の接着手段；ヒートエンボス加工、超音波加工等の融着手段；機械的面ファスナー等の係合手段等が挙げられる。前記ｉｉ）に関し、ミシン目を有する形態としては、例えば、排泄物処理用シート６と吸収性本体５の構成部材（例えば表面シート２）とが、両部材６，５を厚み方向に貫通するように形成されたミシン目を介して連接されており、該シート６の端部を指で摘んで引っ張ることで、該ミシン目で該シート６を吸収性本体５から切り離し可能に構成された形態が挙げられる。
【００１４】
第１実施形態においては、排泄物処理用シート６は、図１に示すように、該シート６の周縁部（周縁６ｓ及びその近傍）に位置し且つ該シート６の平面視における中心６Ｃを挟んで相対向する、２つの接着部１０，１０にて、吸収性本体５（表面シート２）と分離可能に接着されて一体化されている。各接着部１０は、吸収性本体５の上面を形成する表面シート２と排泄物処理用シート６との間に位置し、図１に示す如き平面視において円形形状を有し、表面シート２及び／又は排泄物処理用シート６の所定部位に接着剤を平面視円形形状に塗布することにより形成されている。ここで、中心６Ｃは該シート６の２本の対角線が交差する点である。
【００１５】
排泄物処理用シート６と吸収性本体５とを分離可能に一体化している２つの接着部１０，１０の形成位置は、ペットの排泄行為に伴う飼育者の排泄物処理作業の負担軽減の観点から非常に重要である。斯かる観点から、第１実施形態においては、排泄物処理用シート６を吸収性本体５から引き剥がす際の起点（飼育者が排泄物処理用シート６を吸収性本体５から引き剥がす際に把持する把持部）となる、該シート６の端部（角部）との位置関係を考慮の上、２つの接着部１０，１０の形成位置を決定している。即ち、第１実施形態においては、図３に示すように、排泄物処理用シート６を吸収性本体５から引き剥がす際の起点となる部位を、平面視長方形形状の該シート６の１本の対角線上に位置する２つの頂点６Ｐ，６Ｐ及びそれらの近傍を含む、２つの端部（角部）６０，６０としており、２つの接着部１０，１０の形成位置は、これら両端部６０，６０を起点として排泄物処理用シート６を吸収性本体５から引き剥がす工程を含む、排泄物処理作業の負担が軽減されるように決定されている。
【００１６】
より具体的には、第１実施形態においては、図１に示すように、排泄物処理用シート６の２つの頂点６Ｐ，６Ｐは、それぞれ、２つの接着部１０，１０を結ぶ線分Ｘ１を二分する仮想直線Ｙ１と該シート６の周縁６ｓとの交点である。第１実施形態においては、仮想直線Ｙ１は、線分Ｘ１を二分するようにこれと直交しており、線分Ｘ１の垂直二等分線である。排泄物処理用シート６と吸収性本体５とを分離可能に一体化している２つの接着部１０，１０と、該シート６を吸収性本体５から引き剥がす際の起点となる該シート６の２つの頂点６Ｐ，６Ｐとが、斯かる位置関係を有していることにより、図３に示すように、これら２つの頂点（垂直二等分線Ｙ１と該シート６の周縁６ｓとの交点）６Ｐ，６Ｐそれぞれを起点として該シート６を吸収性本体５（表面シート２）から引き剥がすのに要する力（以下、シート剥離力ともいう）が比較的小さくて済み、結果として、排泄物処理作業の負担軽減に繋がる。
【００１７】
前記シート剥離力は、好ましくは１０ｇｆ／２５ｍｍ以上であり、また、好ましくは８００ｇｆ／２５ｍｍ以下、更に好ましくは４００ｇｆ／２５ｍｍ以下、特に好ましくは１００ｇｆ／２５ｍｍ以下である。前記シート剥離力は次のようにして測定される。測定対象物（ペット用吸収性物品）から、接着部を１つ含むように、幅２５ｍｍ、長さ８０ｍｍの長方形形状を切り出し、この切り出された長方形形状を試験片とする。この試験片を、その長手方向が引張方向となるように、引張試験機〔ＯＲＩＥＮＴＥＣ製テンシロン（ＲＴＣ−１２１０Ａ）〕の幅１００ｍｍのチャックに取り付ける。試験片を試験速度３００ｍｍ／分で引っ張り、その際の最大荷重値を記録する。斯かる測定を、測定対象物の縦方向（長手方向）及び横方向（幅方向）それぞれについて行い、両方向それぞれについての最大荷重値の平均値を、前記シート剥離力とする。
【００１８】
また、排泄物処理用シート６と吸収性本体５との２つの接着部１０，１０と、該シート６を吸収性本体５から引き剥がす際の起点となる該シート６の２つの頂点６Ｐ，６Ｐとが前述の如き特定の位置関係を有していることにより、前記シート剥離力が低減するのみならず、ペットが排泄物処理用シート６上に排泄した糞を手際良く処理することが可能となり、排泄物処理作業の一層の負担軽減に繋がる。即ち、図３（ａ）に示すように、ペットが排泄物処理用シート６上に糞Ｓを排泄した場合、ペットの飼育者が糞Ｓを処理するには、該シート６の２つの頂点６Ｐ，６Ｐ及びそれらの近傍を含む、２つの端部（角部）６０，６０それぞれを同時に指で摘み、そのまま２つの頂点６Ｐ，６Ｐを結ぶ仮想直線Ｙ１に沿って内方に向けて引っ張れば良い。斯かる操作により、排泄物処理用シート６は、両端部６０，６０それぞれから順次持ち上げられていき、吸収性本体５（表面シート２）から引き剥がされる直前では、図３（ｂ）に示すように、２つの接着部１０，１０を結ぶ線分Ｘ１の近傍まで持ち上げられた状態となる。この排泄物処理用シート６の持ち上げ過程において、該シート６上の糞Ｓは、持ち上げ作業開始時に既に線分Ｘ１又はその近傍に位置していた場合には、ほとんど動かず、持ち上げ作業開始時に線分Ｘ１から離れて位置していた場合には、該シート６の持ち上げによって該シート６上を内方に向かって移動し、何れの場合であっても、該シート６が吸収性本体５から引き剥がされる直前では、図３（ｂ）に示すように、線分Ｘ１又はその近傍に位置し、該シート６の持ち上げ部分で挟まれた状態となる。そして、図３（ｂ）に示す状態から排泄物処理用シート６の両端部６０，６０を更に引っ張ってこれを吸収性本体５から引き剥がし、汚れの無いきれいな状態の表面シート２が完全に露出させれば、引き続きペット用吸収性物品１Ａを使用することができる。引き剥がした排泄物処理用シート６は、糞Ｓを包んだ状態のまま廃棄することができるので、ペットの飼育者が糞Ｓに直接触れることは一切無い。
【００１９】
このように、第１実施形態のペット用吸収性物品１Ａによれば、ペットの排泄物を手際良く衛生的に処理することができる。特に、排泄物処理用シート６と吸収性本体５とを分離可能に一体化している２つの接着部１０，１０と、該シート６を吸収性本体５から引き剥がす際の起点となる該シート６の２つの頂点６Ｐ，６Ｐとが、前述した特定の位置関係を有していることにより、図３に示す如き排泄物処理用シート６の持ち上げ過程において、吸収性本体５が捻れることなく、該シート６をスムーズに持ち上げることができ、比較的少ない力で該シート６を吸収性本体５から簡単に引き剥がすことができる。また、１回の排泄物処理作業で廃棄されるのは、１枚の排泄物処理用シート６のみであるため、特許文献１及び２に記載の如き従来品に比してゴミの量が少なく、経済的で環境に対する負荷が少ない。
【００２０】
前述した作用効果をより確実に奏させるようにする観点から、２つの接着部１０，１０を結ぶ線分Ｘ１と、これを二分する仮想直線Ｙ１とのなす角度は、９０°±１５°の範囲にあることが好ましく、９０°±１０°の範囲にあることが更に好ましい。第１実施形態においては、前述したように、線分Ｘ１と仮想直線Ｙ１とは互いに直交しており、両者のなす角度は９０°である。
【００２１】
また、排泄物処理用シート６における、吸収性本体５から引き剥がす際の起点（飼育者が引き剥がす際に把持する把持部）となる部位（２つの頂点６Ｐ，６Ｐ）又はその近傍、より具体的には該シート６の２つの端部（角部）６０，６０それぞれに、該シート６の他の部位に施されていない「加工」を施しておくと、端部６０の存在が目立つようになるため、飼育者に、端部６０を起点とする排泄物処理用シート６の引き剥がし作業を誘導し易くなり、前述した作用効果がより一層確実に奏されるようになる。この端部６０に選択的に施す「加工」としては、例えば、ａ）着色、ｂ）模様付け、ｃ）排泄物処理用シート６における端部６０を構成する部分の厚みを周辺部に比して増加させる加工、ｄ）滑り止めの付設、ｅ）指を引っ掛けるための穴の穿設、等が挙げられる。
【００２２】
第１実施形態においては、図１に示すように、排泄物処理用シート６は、仮想直線Ｙ１（２つの接着部１０，１０を結ぶ線分Ｘ１を二分するように該線分Ｘ１と交差する仮想直線）と該シート６の周縁６ｓとの２つの交点６Ｐ，６Ｐそれぞれの近傍（該シート６を吸収性本体５から引き剥がす際の起点となる端部６０，６０又はそれらの近傍）に位置する２つの仮留め部２０，２０にて、吸収性本体２（表面シート２）に仮留めされている。本発明において仮留め部は必須ではないが、第１実施形態のように、排泄物処理用シート６の端部６０が仮留め部２０を介して吸収性本体５に仮留めされていると、端部６０の不要なめくれが効果的に防止され、ペット用吸収性物品１Ａをより適切に使用できるようになり、延いては排泄物処理作業の負担軽減に繋がる。
【００２３】
仮留め部２０としては、排泄物処理用シート６を吸収性本体５と分離可能に一体化し得るものであれば良く、この「吸収性本体と分離可能に一体化」については前述した通りであり、仮留め部２０についても、前述した、「排泄物処理用シートと吸収性本体との一体化の形態」を適宜適用することができる。第１実施形態においては、各仮留め部２０は、接着部１０と同様に形成されており、吸収性本体５の上面を形成する表面シート２と排泄物処理用シート６との間に位置し、図１に示す如き平面視において円形形状を有し、表面シート２及び／又は排泄物処理用シート６の所定部位に接着剤を平面視円形形状に塗布することにより形成されている。各仮留め部２０における排泄物処理用シート６と吸収性本体５との接着力は、接着部１０におけるそれと同じでも異なっていても良く、要は、該シート６を吸収性本体５から手動で容易に引き剥がし可能な程度であれば良い。
【００２４】
ペット用吸収性物品１Ａの素材について説明すると、表面シート２、裏面シート３としては、それぞれ、この種のペット用吸収性物品あるいは人用吸収性物品（使い捨ておむつ等）において、液透過性の表面シート、液不透過性の裏面シートとして用いられているものを特に制限なく用いることができる。表面シートとしては、例えば、親水化処理が施された各種不織布や開孔フィルム等を用いることができる。裏面シートとしては、例えば、微細孔を有する又は有しない樹脂製フィルム、撥水不織布等の不織布、これらと他のシートとのラミネート体等を用いることができる。
【００２５】
吸収体４としては、尿等の排泄物を吸収保持し得るものであれば特に制限されず、例えば、吸水性物質の集合体（吸収性コア）、あるいは該集合体（吸収性コア）の外面を液透過性シート（コアラップシート）で被覆したもの等を用いることができる。吸水性物質としては、例えば、木材パルプや親水化処理された合成繊維等の親水性繊維を用いることができ、必要に応じ、更に粒状の吸水性ポリマー等を用いることができる。また、液透過性シート（コアラップシート）としては、例えば、ティッシュペーパー等の紙や各種不織布、開孔フィルム等を用いることができる。
【００２６】
排泄物処理用シート６としては、尿等の液を下方の吸収性本体５へ透過させ得る、液透過性を有するものを用いることができる。逆に言えば、裏面シート３として使用可能な液不透過性シートは、排泄物処理用シート６として用いることはできない。排泄物処理用シート６としては、表面シート２として使用可能な液透過性シートを用いることができ、表面シート２と排泄物処理用シート６とは同じであっても良い。１枚の排泄物処理用シート６の坪量は、好ましくは１４ｇ／ｍ2以上、更に好ましくは１８ｇ／ｍ2以上、そして、好ましくは４０ｇ／ｍ2以下、更に好ましくは２０ｇ／ｍ2以下、より具体的には、好ましくは１４ｇ／ｍ2以上４０ｇ／ｍ2以下、更に好ましくは１８ｇ／ｍ2以上２０ｇ／ｍ2以下である。
【００２７】
本発明に係る排泄物処理用シートは、前記実施形態における排泄物処理用シート６の如き単層構造であっても良く、あるいは２枚以上のシートが積層一体化された多層構造であっても良い。また、本発明に係る排泄物処理用シートは、液透過性に加えて液吸収性を有していても良い。液吸収性を有する多層構造の排泄物処理用シートの一例として、液透過層と液保持層との積層体が挙げられる。この積層体を構成する液透過層としては、例えば排泄物処理用シート６（表面シート２）として使用可能な液透過性シートを用いることができ、液保持層としては、例えば吸収体４を構成する吸収性コア（吸水性物質の集合体）を用いることができる。この積層体からなる排泄物処理用シートは、液透過層が上層（吸収性本体から相対的に遠い層）、液保持層が下層（吸収性本体から相対的に近い層）となるように、吸収性本体上に配置される。積層体からなる排泄物処理用シートの坪量は、好ましくは１２ｇ／ｍ2以上、更に好ましくは２０ｇ／ｍ2以上、そして、好ましくは８０ｇ／ｍ2以下、更に好ましくは４５ｇ／ｍ2以下、より具体的には、好ましくは１２ｇ／ｍ2以上８０ｇ／ｍ2以下、更に好ましくは２０ｇ／ｍ2以上４５ｇ／ｍ2以下である。
【００２８】
図４〜図６には、本発明のペット用吸収性物品の第２実施形態であるペット用吸収性物品１Ｂが示されている。第２実施形態のペット用吸収性物品１Ｂについては、前述した第１実施形態のペット用吸収性物品１Ａと異なる構成部分を主として説明し、同様の構成部分は同一の符号を付して説明を省略する。特に説明しない構成部分は、第１実施形態のペット用吸収性物品１Ａについての説明が適宜適用される。
【００２９】
第２実施形態のペット用吸収性物品１Ｂは、排泄物処理用シートを複数枚具備している点で、これを１枚だけ具備していた第１実施形態のペット用吸収性物品１Ａと異なる。更に説明すると、ペット用吸収性物品１Ｂにおいては、図４及び図５に示すように、吸収性本体５（表面シート２）の上方に２枚の排泄物処理用シート６，７が配され、それぞれ、吸収性本体５と分離可能に一体化されている。ペット用吸収性物品１Ｂの使用開始当初にその最表面（排泄行為をするペットの足場）を形成しているのは、排泄物処理用シート６であり、その下方に該シート６と重ね合わされるように排泄物処理用シート７が配されている。排泄物処理用シート７は、平面視形状が排泄物処理用シート６と同形状（長方形形状）を有しており、且つ該シート６よりも平面視の大きさ（サイズ）が小さく、図４及び図５に示すように、該シート７の周縁７ｓは、該シート６の周縁６ｓよりも内方に存している。第２実施形態においては、排泄物処理用シート６，７は、平面視形状が互いに相似の関係にある。排泄物処理用シート６，７は、平面視の大きさ（サイズ）が異なるのみであり、シートの素材は同じである。
【００３０】
第２実施形態においては、排泄物処理用シート６は、図４に示すように、排泄物処理用シート７の周縁７ｓよりも外方に位置する接着部１０，１０及び仮留め部２０，２０にて、吸収性本体５と分離可能に一体化されており、該シート６と吸収性本体５との間に介在されている排泄物処理用シート７とは一体化されていない。一方、排泄物処理用シート７は、図４及び図６（ａ）に示すように、該シート７の周縁部（周縁７ｓ及びその近傍）に位置し且つ該シート７の平面視における中心７Ｃを挟んで相対向する、２つの接着部１１，１１にて、吸収性本体５（表面シート２）と分離可能に接着されて一体化されている。排泄物処理用シート７の中心７Ｃは、その上方に配されている排泄物処理用シート６の中心６Ｃと平面視において同位置にある。
【００３１】
また、第２実施形態においては、排泄物処理用シート７を吸収性本体５から引き剥がす際の起点となる部位を、平面視長方形形状の該シート７の１本の対角線上に位置する２つの頂点７Ｐ，７Ｐ及びそれらの近傍を含む、２つの端部（角部）７０，７０としている。
この排泄物処理用シート７の２つの頂点７Ｐ，７Ｐ（端部７０，７０）を結ぶ仮想直線Ｙ２（対角線）と、排泄物処理用シート６を吸収性本体５から引き剥がす際の起点となる部位である、該シート６の２つの頂点６Ｐ，６Ｐ（端部６０，６０）を結ぶ仮想直線Ｙ１（対角線）とは、互いに交差している。２つの頂点７Ｐ，７Ｐそれぞれを起点として排泄物処理用シート７を吸収性本体５（表面シート２）から引き剥がすのに要する力は、排泄物処理用シート６のそれ（前記シート剥離力）と同じである。
【００３２】
また、排泄物処理用シート７は、仮想直線Ｙ２（２つの接着部１１，１１を結ぶ線分Ｘ２を二分するように該線分Ｘ２と交差する仮想直線）と該シート７の周縁７ｓとの２つの交点７Ｐ，７Ｐそれぞれの近傍（該シート７を吸収性本体５から引き剥がす際の起点となる端部７０，７０又はそれらの近傍）に位置する２つの仮留め部２１，２１にて、吸収性本体２（表面シート２）に仮留めされている。排泄物処理用シート７の接着部１１及び仮留め部２１は、それぞれ、吸収性本体５の上面を形成する表面シート２と排泄物処理用シート７との間に位置し、図４に示す如き平面視において円形形状を有し、表面シート２及び／又は排泄物処理用シート７の所定部位に接着剤を平面視円形形状に塗布することにより形成されている。
【００３３】
第２実施形態のペット用吸収性物品１Ｂにおいて、ペットがその最表面を形成する排泄物処理用シート６上に固形の糞を排泄した場合には、前述した第１実施形態のペット用吸収性物品１Ａにおけるシート引き剥がし操作と同様の操作により、該シート６を吸収性本体５から引き剥がし、図６（ａ）に示すように、汚れの無いきれいな状態の排泄物処理用シート７を完全に露出させることで、ペット用吸収性物品１Ｂを引き続き使用することができる。その後、再びペットがその最表面を形成する排泄物処理用シート７上に糞を排泄した場合、ペットの飼育者がその糞を処理するには、該シート７の２つの頂点７Ｐ，７Ｐ及びそれらの近傍を含む、２つの端部（角部）７０，７０それぞれを同時に指で摘み、そのまま２つの頂点７Ｐ，７Ｐを結ぶ仮想直線Ｙ２に沿って内方に向けて引っ張れば良い。斯かる操作により、排泄物処理用シート７を吸収性本体５から引き剥がし、図６（ｂ）に示すように、汚れの無いきれいな状態の表面シート２を完全に露出させれば、引き続きペット用吸収性物品１Ｂを使用することができる。引き剥がした排泄物処理用シート７は、糞を包んだ状態のまま廃棄することができるので、ペットの飼育者がその糞に直接触れることは一切無い。
【００３４】
本発明のペット用吸収性物品には、下記１）〜３）の工夫を施すことが可能である。１）排泄物処理用シートと表面シートとで色及び／又は素材を異ならせる。２）排泄物処理用シートが複数枚積層されている場合に、各排泄物処理用シートどうしで色又は素材を異ならせる。３）排泄物処理用シート及び／又は表面シートに消臭剤を含有させる。
【００３５】
前記１）及び２）に関し、各シートどうしで色を異ならせることにより、残り枚数の確認が容易になる。また、各シートどうしで素材を異ならせることにより、例えば液に対する挙動（液透過性、液吸収性、液拡散性等）が異なる複数枚のシートの積層体を、表面シートの上方に配することが可能となり、それによって、ペットの排泄行為に伴う飼育者の排泄物処理作業の負担の一層の軽減が期待できる。例えば、朝一番で軟便を排泄する傾向があるペットに対しては、斯かる積層体において相対的に液が染み出しにくいシートを最上層に配置するのが有効である。
【００３６】
前記３）に関し、ここでいう消臭剤は、犬や猫等のペットの排泄物に起因する悪臭を除去し得る薬剤全般を意味し、悪臭の除去方法は特に制限されず、香料成分に由来する香気によって悪臭をマスキングするタイプの薬剤の他、抗菌・殺菌作用により悪臭の発生源となる菌の発生・増加を抑制するタイプの薬剤、悪臭成分そのものを吸着するタイプの薬剤等も含まれる。
【００３７】
本発明のペット用吸収性物品は、前記実施形態に制限されるものではなく、本発明の趣旨を逸脱しない範囲において種々変形可能である。例えば、前記実施形態では、排泄物処理用シート６，７と吸収性本体５とが分離可能に一体化されている部分である、接着部１０，２０及び仮留め部１１，２１は、何れも平面視円形形状に接着剤が塗布されて形成されているところ、この接着剤の塗布パターンとしては、所定領域の全域に隙間なく接着剤を塗布するいわゆるベタ塗りでも良く、あるいはスパイラル状、格子状、ストライプ状、散点状等の非連続的パターンでも良い。
【００３８】
また、排泄物処理用シートの枚数（積層数）は特に制限されず、３枚以上とすることもできる。その場合、表面シートの上方に配された３枚以上の排泄物処理用シートにおいては、各排泄物処理用シートを吸収性本体（表面シート）と分離可能に一体化させる観点から、第２実施形態のペット用吸収性物品１Ｂにおける２枚の排泄物処理用シート６，７と同様に、下側に位置する（吸収性本体５から相対的に近い）ものほど、平面視の大きさ（サイズ）が小さく、下側に位置するシートの周縁が、上側に位置するシートの周縁よりも内方に存するようにすることが好ましい。そうすることで、各排泄物処理用シートの周縁部に、該シートと吸収性本体（表面シート）とを分離可能に一体化させるための接着部や仮留め部を形成することが可能となる。
【００３９】
前述した本発明の実施形態に関し、更に以下の付記（ペット用吸収性物品）を開示する。
【００４０】
＜１＞  表面シート及び該表面シートの一方の面に配された吸収体を含んで構成される吸収性本体と、前記表面シートの前記一方の面とは反対側の面に配され、前記吸収性本体と分離可能に一体化された液透過性の排泄物処理用シートとを具備するペット用吸収性物品。
＜２＞  前記ペット用吸収性物品の最表面を形成する前記排泄物処理用シートは、該排泄物処理用シートの周縁部に位置し且つ該排泄物処理用シートの平面視における中心を挟んで相対向する２つの接着部にて、前記吸収性本体と分離可能に接着されて一体化されており、その２つの接着部を結ぶ線分を二分する仮想直線と該排泄物処理用シートの周縁との２つの交点それぞれを起点として、該排泄物処理用シートを該吸収性本体から引き剥がすのに要する力が８００ｇｆ／２５ｍｍ以下である前記＜１＞記載のペット用吸収性物品。
【００４１】
＜３＞  ２つの前記接着部を結ぶ線分と、該線分を二分する前記仮想直線とのなす角度は、９０°±１５°、好ましくは９０°±１０°の範囲にある前記＜２＞記載のペット用吸収性物品。
＜４＞  前記排泄物処理用シートは平面視において長方形形状を有し、２つの前記起点は、それぞれ、該排泄物処理用シートの角部に相当する前記＜２＞又は＜３＞記載のペット用吸収性物品。
＜５＞  前記起点は、ペットの飼育者が前記排泄物処理用シートを前記吸収性本体から引き剥がす際に把持する把持部である前記＜２＞〜＜４＞の何れか一項に記載のペット用吸収性物品。
＜６＞  前記排泄物処理用シートは、前記起点又はその近傍に位置する２つの仮留め部にて、前記吸収性本体に仮留めされている前記＜２＞〜＜５＞の何れか一項に記載のペット用吸収性物品。
＜７＞  前記排泄物処理用シートを前記吸収性本体から引き剥がすのに要する力（シート剥離力）は、好ましくは１０ｇｆ／２５ｍｍ以上であり、また、好ましくは８００ｇｆ／２５ｍｍ以下、更に好ましくは４００ｇｆ／２５ｍｍ以下、特に好ましくは１００ｇｆ／２５ｍｍ以下である前記＜２＞〜＜６＞の何れか一項に記載のペット用吸収性物品。
【００４２】
＜８＞  前記起点（前記把持部）に、該起点の存在を目立たせるための加工が施されている前記＜２＞〜＜７＞の何れか一項に記載のペット用吸収性物品。
＜９＞  前記加工は、着色である前記＜８＞記載のペット用吸収性物品。
＜１０＞  前記加工は、模様付けである前記＜８＞又は＜９＞記載のペット用吸収性物品。
＜１１＞  前記加工は、前記起点（前記把持部）を構成する部分の厚みを周辺部に比して増加させる加工である前記＜８＞〜＜１０＞の何れか一項に記載のペット用吸収性物品。
＜１２＞  前記加工は、滑り止めの付設である前記＜８＞〜＜１１＞の何れか一項に記載のペット用吸収性物品。
＜１３＞  前記加工は、指を引っ掛けるための穴の穿設である前記＜８＞〜＜１２＞の何れか一項に記載のペット用吸収性物品。
【００４３】
＜１４＞  前記ペット用吸収性物品は平面視において長方形形状を有し、その長手方向の長さは１５〜１００ｃｍ、幅方向の長さは１０〜７０ｃｍである前記＜１＞〜＜１３＞の何れか一項に記載のペット用吸収性物品。
＜１５＞  前記排泄物処理用シートを複数枚具備し、複数枚の該排泄物処理用シートは、前記吸収性本体から相対的に近いものほど、平面視の大きさが小さい前記＜１＞〜＜１４＞の何れか一項に記載のペット用吸収性物品。
＜１６＞  前記排泄物処理用シートと前記吸収性本体とは、ホットメルト接着剤等その他の各種接着剤等の接着手段、ヒートエンボス加工、超音波加工等の融着手段、又は機械的面ファスナー等の係合手段によって分離可能に一体化されている前記＜１＞〜＜１５＞の何れか一項に記載のペット用吸収性物品。
＜１７＞  前記排泄物処理用シートと前記吸収性本体とは、ミシン目を介して連接されている前記＜１＞〜＜１６＞の何れか一項に記載のペット用吸収性物品。
【００４４】
＜１８＞  前記排泄物処理用シートの坪量は、好ましくは１４ｇ／ｍ2以上、更に好ましくは１８ｇ／ｍ2以上、そして、好ましくは４０ｇ／ｍ2以下、更に好ましくは２０ｇ／ｍ2以下である前記＜１＞〜＜１７＞の何れか一項に記載のペット用吸収性物品。
＜１９＞  前記排泄物処理用シートは、液透過層と液保持層との積層体である前記＜１＞〜＜１８＞の何れか一項に記載のペット用吸収性物品。
＜２０＞  前記積層体からなる前記排泄物処理用シートの坪量は、好ましくは１２ｇ／ｍ2以上、更に好ましくは２０ｇ／ｍ2以上、そして、好ましくは８０ｇ／ｍ2以下、更に好ましくは４５ｇ／ｍ2以下である前記＜１＞〜＜１９＞の何れか一項に記載のペット用吸収性物品。
【符号の説明】
【００４５】
１Ａ，１Ｂ  ペット用吸収性物品
２  表面シート
３  裏面シート
４  吸収体
５  吸収性本体
６，７  排泄物処理用シート
１０，１１  接着部
２０，２１  仮留め部
Ｘ１，Ｘ２  ２つの接着部を結ぶ線分
Ｙ１，Ｙ２  前記線分の垂直二等分線
【図１】
2014113072.tif 000003
【図２】
2014113072.tif 000004
【図３】
2014113072.tif 000005
【図４】
2014113072.tif 000006
【図５】
2014113072.tif 000007
【図６】
2014113072.tif 000008